(57)【要約】【課題】クリーニングブレードを支持し装置本体に装着されるハウジングに反りが生じている場合であっても、装置本体内で前記反りを安定して矯正する。【解決手段】ドラムユニット３１Ｈは、画像形成装置１のフレーム２１０の内部空間Ｓに所定の挿入方向に向かって挿入された後、固定される。ドラムユニット３１Ｈは、クリーニングブレードを支持する。画像形成装置１のフレーム２１０には、矯正ピン８０Ｐが感光体ドラム１２１の軸方向に延設される。ドラムユニット３１Ｈが内部空間Ｓに装着されると、矯正ピン８０Ｐがドラムユニット３１Ｈの立壁７０の孔部に挿入される。矯正ピン８０Ｐが立壁７０の内周面に当接することによって、前記軸方向と交差する断面視におけるドラムユニット３１Ｈの軸方向の中央部の位置が調整される。【選択図】図８
2014149358.tif 000002
【特許請求の範囲】
【請求項１】
内部空間を備える装置本体と、
前記内部空間に所定の挿入方向に向かって挿入された後、前記装置本体に固定されるハウジングと、
回転軸と、周面とを備え、前記内部空間に配置され、前記回転軸回りに回転し前記周面にトナー像を担持する感光体ドラムと、
前記回転軸の軸方向に延設される板状の弾性部材からなり、前記ハウジングに支持され、前記感光体ドラムの前記周面に当接し、前記感光体ドラムを清掃するクリーニングブレードと、
前記装置本体に前記ハウジングに対向して配置される当接部と、
前記ハウジングの前記軸方向の中央部に配置され、前記当接部に当接される被当接部と、を有し、
前記ハウジングが前記内部空間に挿入され、前記当接部が前記被当接部に当接することによって、前記軸方向と交差する断面における前記ハウジングの前記軸方向の中央部の位置が調整されることを特徴とする画像形成装置。
【請求項２】
前記クリーニングブレードの前記軸方向の中央部における前記感光体ドラムに対する押圧力が、前記クリーニングブレードの前記軸方向の両端部における前記押圧力に近づくように、前記ハウジングの前記中央部の位置が調整されることを特徴とする請求項１に記載の画像形成装置。
【請求項３】
前記ハウジングの前記挿入方向は、前記回転軸の前記軸方向に沿う方向であり、
前記当接部は、前記軸方向に沿って延設され、外周面を含むピンであり、
前記被当接部は、前記ハウジングの前記中央部から立設される立壁であり、前記立壁は、前記ピンが挿入される位置決め穴を備え、
前記ハウジングが前記内部空間に挿入されることによって、前記ピンの前記外周面が前記位置決め穴によって形成される前記立壁の内周面に当接することを特徴とする請求項１または２に記載の画像形成装置。
【請求項４】
前記ピンは、金属材料から構成されることを特徴とする請求項３に記載の画像形成装置。
【請求項５】
前記位置決め穴の入口に形成され、前記ピンの前記位置決め穴への挿入をガイドするテーパ部を備えることを特徴とする請求項３または４に記載の画像形成装置。
【請求項６】
前記当接部は、前記装置本体において前記ハウジングに向かって突設される当接壁部であって、
前記被当接部は、前記当接壁部が当接する前記ハウジングの前記中央部の外壁であることを特徴とする請求項１または２に記載の画像形成装置。
【請求項７】
前記ハウジングの前記挿入方向は、前記回転軸の前記軸方向に沿う方向であり、
前記装置本体は、前記内部空間において前記軸方向に沿って延設され、前記軸方向と交差する方向に所定の溝幅を備えるガイド溝を有し、
前記ハウジングは、前記軸方向に沿って延設され、前記ガイド溝に挿通されるガイド部材を有し、
前記当接部は、前記ガイド溝のうち前記軸方向の中央部における前記溝幅が他の領域と比較して部分的に狭く設定される縮小部であり、
前記被当接部は、前記縮小部に当接される前記ガイド部材の外壁部であることを特徴とする請求項１または２に記載の画像形成装置。
【請求項８】
前記ガイド部材は、前記軸方向と交差する方向において前記溝幅よりも小さい所定のガイド幅をもって前記軸方向に延設され、
前記外壁部の前記ガイド幅は、前記軸方向における前記ガイド部材の他の領域の前記ガイド幅と比較して部分的に広く設定されていることを特徴とする請求項７に記載の画像形成装置。
【請求項９】
前記ハウジングは、前記軸方向の両端部に立設される一対の側壁と、前記一対の側壁を前記軸方向において連設させる連設壁とを有し、
前記一対の側壁の間に前記クリーニングブレードが配置されることを特徴とする請求項１乃至８の何れか１項に記載の画像形成装置。
【請求項１０】
前記ハウジングは、樹脂材料から構成されることを特徴とする請求項９に記載の画像形成装置。
【請求項１１】
前記ハウジングは、トナー像を担持する前記感光体ドラムを更に支持することを特徴とする請求項１乃至１０の何れか１項に記載の画像形成装置。
【発明の詳細な説明】
【技術分野】
【０００１】
本発明は、クリーニングブレードを支持し、装置本体に対して着脱可能なハウジングを備えた画像形成装置に関する。
【背景技術】
【０００２】
従来、画像形成装置では、感光体ドラム上に現像装置によってトナー像が形成され、転写部において該トナー像がシートに転写される。画像形成装置は、更に定着部を備え、トナー像が転写されたシートは、定着部において定着処理を施された後、排出される。トナー像が転写された後の感光体ドラムには、未転写トナーが残存される。このため、感光体ドラムの表面に、クリーニングブレードが当接する技術が知られている。クリーニングブレードは、感光体ドラムの表面から未転写トナーを除去する。
【０００３】
クリーニングブレードは、装置本体に着脱可能とされるハウジングに配置される。多くの場合、前記ハウジングは、クリーニングブレードと感光体ドラムとを一体的に支持する。ハウジングは樹脂成型によって形成されることが多く、ハウジングの成型後の反りによって、クリーニングブレードの感光体ドラムに対する押圧力が部分的に変化するという課題があった。従来、クリーニングブレードを支持する板金部材の形状や締結方法が工夫されることよって、前記反りによる前記押圧力の変化が抑制される技術が知られている。また、特許文献１には、クリーニングブレードによって回収されたトナーの漏れが、ハウジングの反りによって悪化することを防止するために、シール部材の貼り方に特徴を有する技術が記載されている。
【先行技術文献】
【特許文献】
【０００４】
【特許文献１】特開２００３−２６３０８５号公報
【発明の概要】
【発明が解決しようとする課題】
【０００５】
上記の従来技術では、ハウジングに反りがある場合、クリーニングブレードの感光体ドラムに対する押圧力を一定にするために、個々のクリーニングブレードごとに位置調整をする必要があった。また、クリーニングブレードの部品ばらつきや環境変動、長期間の使用に伴うクリーニングブレードの劣化などによって、前記押圧力が変化してしまうという課題があった。
【０００６】
本発明は、上記問題に鑑みてなされたものであり、クリーニングブレードを支持し装置本体に装着されるハウジングに反りが生じている場合であっても、装置本体内で前記反りを安定して矯正することを目的とする。
【課題を解決するための手段】
【０００７】
本発明の一の局面に係る画像形成装置は、内部空間を備える装置本体と、前記内部空間に所定の挿入方向に向かって挿入された後に前記装置本体に固定されるハウジングと、回転軸と周面とを備えて前記内部空間に配置され、前記回転軸回りに回転し前記周面にトナー像を担持する感光体ドラムと、前記回転軸の軸方向に延設される板状の弾性部材からなり、前記ハウジングに支持され、前記感光体ドラムの前記周面に当接し、前記感光体ドラムを清掃するクリーニングブレードと、前記装置本体に前記ハウジングに対向して配置される当接部と、前記ハウジングの前記軸方向の中央部に配置され、前記当接部に当接される被当接部と、を有し、前記ハウジングが前記内部空間に挿入され、前記当接部が前記被当接部に当接することによって、前記軸方向と交差する断面における前記ハウジングの前記軸方向の中央部の位置が調整されることを特徴とする。
【０００８】
本構成によれば、ハウジングはクリーニングブレードを支持し、装置本体の内部空間に挿入された後、装置本体に固定される。クリーニングブレードは感光体ドラムの回転軸の軸方向に沿って延設され、感光体ドラムの周面に当接する。前記軸方向においてハウジングに反りがあると、クリーニングブレードなどハウジング内に支持される部材も前記反りの影響を受けて変形する。このような場合であっても、上記の構成によれば、ハウジングが内部空間に挿入され、当接部が被当接部に当接することによって、軸方向と交差する断面におけるハウジングの中央部の位置が調整される。この結果、ハウジングの反りが好適に矯正され、クリーニングブレードがハウジングに安定して支持される。このため、感光体ドラムに対するクリーニングブレードの押圧力が安定して維持される。また、装置本体に配置された当接部がハウジングの被当接部に当接するため、ハウジングの内部に矯正手段が配置される場合と比較して、長期間の使用においても矯正力が弱まることが抑止される。
【０００９】
上記の構成において、前記クリーニングブレードの前記軸方向の中央部における前記感光体ドラムに対する押圧力が、前記クリーニングブレードの前記軸方向の両端部における前記押圧力に近づくように、前記ハウジングの前記中央部の位置が調整されることが望ましい。
【００１０】
本構成によれば、当接部が被当接部に当接することによって、クリーニングブレードの中央部における押圧力が、クリーニングブレードの両端部における押圧力に近づくことができる。このため、クリーニングブレードの軸方向における押圧力の均一性が好適に向上される。
【００１１】
上記の構成において、前記ハウジングの前記挿入方向は、前記回転軸の前記軸方向に沿う方向であり、前記当接部は、前記軸方向に沿って延設され、外周面を含むピンであり、前記被当接部は、前記ハウジングの前記中央部から立設される立壁であり、前記立壁は、前記ピンが挿入される位置決め穴を備え、前記ハウジングが前記内部空間に挿入されることによって、前記ピンの前記外周面が前記位置決め穴によって形成される前記立壁の内周面に当接することが望ましい。
【００１２】
本構成によれば、ハウジングの挿入方向に延設されたピンが、ハウジングの位置決め穴に挿入されることによって、ハウジングの中央部の位置が調整される。このため、ハウジングの挿入動作によって、前記位置調整が容易に実現される。
【００１３】
上記の構成において、前記ピンは、金属材料から構成されることが望ましい。
【００１４】
本構成によれば、金属材料から構成されるピンの剛性によって、ハウジングの中央部の位置調整が確実に実現される。
【００１５】
上記の構成において、前記位置決め穴の入口に形成され、前記ピンの前記位置決め穴への挿入をガイドするテーパ部を備えることが望ましい。
【００１６】
本構成によれば、ピンの位置決め穴への挿入が容易に実現される。
【００１７】
上記の構成において、前記当接部は、前記装置本体において前記ハウジングに向かって突設される当接壁部であって、前記被当接部は、前記当接壁部が当接する前記ハウジングの前記中央部の外壁であることが望ましい。
【００１８】
本構成によれば、ハウジングが内部空間に挿入され、当接壁部がハウジングの外壁に当接することによって、ハウジングの中央部の位置が調整される。このため、ハウジングの外壁を利用して、前記位置調整を行うことができる。
【００１９】
上記の構成において、前記ハウジングの前記挿入方向は、前記回転軸の前記軸方向に沿う方向であり、前記装置本体は、前記内部空間において前記軸方向に沿って延設され、前記軸方向と交差する方向に所定の溝幅を備えるガイド溝を有し、前記ハウジングは、前記軸方向に沿って延設され、前記ガイド溝に挿通されるガイド部材を有し、前記当接部は、前記ガイド溝のうち前記軸方向の前記中央部における前記溝幅が他の領域と比較して部分的に狭く設定される縮小部であり、前記被当接部は、前記縮小部に当接される前記ガイド部材の外壁部であることが望ましい。
【００２０】
本構成によれば、ハウジングのガイド部材が、装置本体のガイド溝に挿通されることによって、ハウジングの内部空間への挿入動作が好適にガイドされる。また、ガイド部材の外壁部がガイド溝の縮小部に当接されることによって、前記挿入動作に連動して、ハウジングの中央部の位置が調整される。
【００２１】
上記の構成において、前記ガイド部材は、前記軸方向と交差する方向において前記溝幅よりも小さい所定のガイド幅をもって前記軸方向に延設され、前記外壁部の前記ガイド幅は、前記軸方向における前記ガイド部材の他の領域の前記ガイド幅と比較して部分的に広く設定されていることが望ましい。
【００２２】
本構成によれば、ガイド部材の外壁部のガイド幅が広く設定されるため、前記外壁部とガイド溝の縮小部との摺擦が強められる。この結果、より強い矯正力をもってハウジングの中央部の位置を調整することができる。
【００２３】
上記の構成において、前記ハウジングは、前記軸方向の両端部に立設される一対の側壁と、前記一対の側壁を前記軸方向において連設させる連設壁とを有し、前記一対の側壁の間に前記クリーニングブレードが配置されることが望ましい。
【００２４】
本構成によれば、ハウジングが一対の側壁間において反った場合であっても、ハウジングの内部空間への挿入に伴ってハウジングの中央部の位置が安定して矯正される。
【００２５】
上記の構成において、前記ハウジングは、樹脂材料から構成されることが望ましい。
【００２６】
本構成によれば、ハウジングが樹脂材料から構成され、成型後に変形しやすい場合であっても、装置本体内でのハウジングの中央部の位置が安定して矯正される。
【００２７】
上記の構成において、前記ハウジングは、トナー像を担持する前記感光体ドラムを更に支持することが望ましい。
【００２８】
本構成によれば、ハウジングは、クリーニングブレードと感光体ドラムとを一体的に支持する。そして、ハウジングに反りが生じている場合であっても、装置本体内において、クリーニングブレードの感光体ドラムに対する押圧力を安定して維持することができる。
【発明の効果】
【００２９】
本発明によれば、クリーニングブレードを支持し装置本体に装着されるハウジングに反りが生じている場合であっても、装置本体内で前記反りが安定して矯正される。
【図面の簡単な説明】
【００３０】
【図１】本発明の実施形態に係る画像形成装置の斜視図である。
【図２】本発明の実施形態に係る画像形成装置の内部構造を示す断面図である。
【図３】本発明の一の実施形態に係るドラムユニットの周辺の断面図である。
【図４】本発明の一の実施形態に係るドラムユニットの斜視図である。
【図５】本発明の一の実施形態に係るドラムユニットのハウジングの斜視図である。
【図６】本発明の一の実施形態に係るドラムユニットのハウジングの斜視図である。
【図７】本発明の一の実施形態に係る下部筐体のフレームの斜視図である。
【図８】本発明の一の実施形態に係る下部筐体にドラムユニットが装着された状態の斜視図である。
【図９】本発明の他の実施形態において、下部筐体にドラムユニットが装着された状態の側面図である。
【図１０】本発明の他の実施形態において、下部筐体にドラムユニットが装着された状態の側面図である。
【図１１】本発明の他の実施形態に係るドラムユニットの斜視図である。
【図１２】本発明の他の実施形態に係るドラムユニットの被当接部の周辺の拡大図である。
【発明を実施するための形態】
【００３１】
以下、図面を参照しつつ、本発明の一実施形態について説明する。図１は、本発明の一実施形態に係る画像形成装置１の外観斜視図である。また、図２は、画像形成装置１の内部断面図である。図１、図２に示される画像形成装置１は、いわゆるモノクロ複合機であるが、他の実施形態として、画像形成装置は、カラー複合機、カラープリンター、ファクシミリ装置など、トナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。また、以下の説明において、「シート」との用語は、コピー用紙、コート紙、ＯＨＰシート、厚紙、葉書、トレーシングペーパーや画像形成処理を受ける他のシート材料或いは画像形成処理以外の任意の処理を受けるシート材料を意味する。
【００３２】
画像形成装置１は、略直方体形状の主筐体２を含む。主筐体２は、略直方体形状の下部筐体２１（装置本体）と、下部筐体２１の上方に配設される略直方体形状の上部筐体２２と、下部筐体２１と上部筐体２２とを連結する連結筐体２３とを含む。連結筐体２３は、主筐体２の右縁及び背面縁に沿って延びる。下部筐体２１、上部筐体２２及び連結筐体２３で囲まれる排出空間２４に画像形成されたシートが排出される。特に、本実施形態では、下部筐体２１の上面部に配置された排紙部２４１、および排紙部２４１の上方に配置される排紙トレイ２４２（図２）に、シートが排紙される。
【００３３】
上部筐体２２の正面方向に配置される操作部２２１は、例えば、ＬＣＤタッチパネル２２２を含む。操作部２２１は、画像形成処理に関する情報を入力可能に形成される。使用者は、例えば、ＬＣＤタッチパネル２２２を通じて、印刷されるシートの枚数等を入力したり、印刷濃度等を入力したりすることができる。上部筐体２２内には、主に原稿の画像を読み取るための機器や画像形成装置１の全体の制御を司る電子回路が収容される。
【００３４】
上部筐体２２の上に配設される押さえカバー２２３は、原稿を押さえるために用いられる。押さえカバー２２３は、上部筐体２２に上下に回動可能に取り付けられる。使用者は、押さえカバー２２３を上方に回動させ、上部筐体２２上に原稿を載置する。その後、使用者は操作部２２１を操作して、原稿の画像を上部筐体２２内に配設された機器に読み取らせることができる。
【００３５】
下部筐体２１は、左カバー２１Ａと右カバー２１Ｂとを備える。左カバー２１Ａおよび右カバー２１Ｂは、下部筐体２１の前側の壁部の一部を構成する。左カバー２１Ａは排出空間２４の下方かつ左側に配置される。右カバー２１Ｂは、排出空間２４および連結筐体２３の下方に配置される。左カバー２１Ａおよび右カバー２１Ｂは、下部筐体２１に対して着脱可能とされるカバー部材である。右カバー２１Ｂが下部筐体２１から取り外された状態において、後記のドラムユニット３１Ｈが下部筐体２１に対して前後方向に着脱される。
【００３６】
下部筐体２１の右側面には、手差トレイ２４０が配設される。手差トレイ２４０は、下端２４０Ａを支点として、上端２４０Ｂ側が上下に回動可能である。手差トレイ２４０が下方に回動され、手差トレイ２４０が下部筐体２１の右方に突出する位置にあるとき、ユーザーは手差トレイ２４０上にシートを載置可能である。手差トレイ２４０上のシートは、操作部２２１を通じてユーザーによって入力された指示に基づき、下部筐体２１内に引き込まれた後、画像形成処理を施与され、排出空間２４へ排出される。また、下部筐体２１の内部には、後記の各種装置が配置される内部空間Ｓが形成される（図２）。
【００３７】
画像形成装置１は、内部空間Ｓに、カセット１１０と、給紙部１１と、第２給紙ローラー１１４と、レジストローラー対１１６と、画像形成部１２０とを備える。給紙部１１は、ピックアップローラー１１２と、第１給紙ローラー１１３と、を備える。給紙部１１は、シート搬送路ＰＰにシートＰを送り出す。シート搬送路ＰＰは、給紙部１１から、レジストローラー対１１６を介して、画像形成部１２０内に配設された転写位置ＴＰを通過するように配設された搬送路である。
【００３８】
カセット１１０は、内部にシートＰを収容する。カセット１１０は、下部筐体２１から正面方向（前方向）に引出可能である。カセット１１０内に収容されたシートＰは、下部筐体２１内で上方に送り出される。その後、シートＰは、操作部２２１を通じて使用者によって入力された指示に基づき、下部筐体２１内で画像形成処理を施与され、排出空間２４へ排出される。カセット１１０は、シートＰを支持するリフト板１１１を備える。リフト板１１１は、シートＰの先頭縁を上方に押し上げるように傾斜する。
【００３９】
ピックアップローラー１１２は、リフト板１１１によって上方に押し上げられたシートＰの先頭縁上に配置される。ピックアップローラー１１２が回転すると、シートＰはカセット１１０から引き出される。
【００４０】
第１給紙ローラー１１３は、ピックアップローラー１１２のシート搬送方向下流側に配設される。第１給紙ローラー１１３は、シートＰを更にシート搬送方向の下流側に送り出す。第２給紙ローラー１１４は、手差しトレイ２４０の下端２４０Ａの内側に配設される。第２給紙ローラー１１４は、手差トレイ２４０上のシートＰを下部筐体２１内に搬送する。使用者は、カセット１１０に収容されたシートＰ、または手差トレイ２４０の上に載置されたシートＰを選択的に使用することができる。
【００４１】
レジストローラー対１１６は、シート搬送方向と直交する方向のシートの位置を規定する。これにより、シートＰ上に形成される画像の位置が調整される。レジストローラー対１１６は、ローラー間にニップ部を形成する。レジストローラー対１１６は、画像形成部１２０において、シートＰにトナー画像が転写されるタイミングに合わせて、シートＰを画像形成部１２０に搬送する。また、レジストローラー対１１６は、シートＰの斜行（スキュー）を補正する機能を備える。
【００４２】
画像形成部１２０は、感光体ドラム１２１と、帯電器１２２と、露光装置１２３と、現像装置１２４と、トナーコンテナ１２５と、転写ローラー１２６と、クリーニング装置３５と、除電器５０と、を備える。なお、感光体ドラム１２１と、帯電器１２２と、クリーニング装置３５と、除電器５０とは、後記のドラムユニット３１Ｈに一体的に配置される。
【００４３】
感光体ドラム１２１は、円筒体の形状を有する。感光体ドラム１２１は、周面に静電潜像が形成されるとともに、該静電潜像に応じたトナー画像を担持する。
【００４４】
帯電器１２２は、所定の電圧が印加され、感光体ドラム１２１の周面を略一様に帯電させる。露光装置１２３は、帯電器１２２によって帯電された感光体ドラム１２１の周面に、レーザー光を照射する。該レーザー光は、画像形成装置１に通信可能に接続されたパーソナルコンピュータといった外部装置（図示せず）から出力された画像データに従って、照射される。この結果、感光体ドラム１２１の周面には、画像データに対応する静電潜像が形成される。
【００４５】
現像装置１２４は、静電潜像が形成された感光体ドラム１２１の周面にトナーを供給する。トナーコンテナ１２５は、現像装置１２４へトナーを供給する。トナーコンテナ１２５は、現像装置１２４に順次又は必要に応じてトナーを供給する。現像装置１２４がトナーを感光体ドラム１２１に供給すると、感光体ドラム１２１の周面に形成された静電潜像が現像（可視化）される。この結果、感光体ドラム１２１の周面に、トナー画像が形成されることとなる。現像装置は、周面にトナーを担持する現像ローラー１２４Ａを備える。現像ローラー１２４Ａは、現像位置において、感光体ドラム１２１に対向して配置される。現像ローラー１２４Ａは、回転駆動され、感光体ドラム１２１にトナーを供給する。
【００４６】
転写ローラー１２６は、転写位置ＴＰにおいて、感光体ドラム１２１の周面に対向して配設される。転写ローラー１２６は、転写位置ＴＰにおいて、感光体ドラム１２１と同方向に回転駆動される。転写位置ＴＰにおいて、感光体ドラム１２１の周面に形成されたトナー画像が、シートＰに転写される。
【００４７】
クリーニング装置３５は、シートＰへトナー画像が転写された後に、感光体ドラム１２１の周面に残るトナーを除去する。除電器５０は、クリーニング装置３５によって、周面が清浄化された感光体ドラム１２１に所定の除電光を照射する。この結果、感光体ドラム１２１の周面の電位が、均一化される。
【００４８】
クリーニング装置３５によって、清浄化された後、除電器５０によって、除電された感光体ドラム１２１の周面は、再度、帯電器１２２の下方を通過し、一様に帯電される。その後、上述のトナー画像の形成が新たに行われる。
【００４９】
画像形成装置１は、画像形成部１２０よりも搬送方向下流側に、シートＰ上のトナー画像を定着させる定着装置１３０を更に備える。定着装置１３０は、シートＰ上のトナーを溶融させる加熱ローラー１３１と、シートＰを加熱ローラー１３１に密着させる圧力ローラー１３２と、を備える。シートＰが加熱ローラー１３１と圧力ローラー１３２との間を通過すると、トナー画像は、シートＰに定着される。
【００５０】
画像形成装置１は、定着装置１３０の下流に配設された搬送ローラー対１３３と、搬送ローラー対１３３の下流に配設された切り替え部７５と、下排出ローラー１３４と、上排出ローラー１３５と、を更に備える。搬送ローラー対１３３は、定着装置１３０によって、定着処理が施されたシートＰを、シート搬送方向下流側に搬送する。切り替え部７５は、搬送ローラー対１３３のシート搬送方向下流側において、シートＰの搬送方向を切り替える機能を備える。下排出ローラー１３４は、切り替え部７５の左方に配置され、搬送ローラー対１３３によって搬送されたシートＰを、排紙部２４１に排出する。上排出ローラー１３５は、下排出ローラー１３４の上方に配置され、搬送ローラー対１３３によって搬送されたシートＰを、排紙部２４１の上方に装着された排紙トレイ２４２に排出する。
【００５１】
次に、図３乃至図６を参照して、本発明の第１の実施形態に係るドラムユニット３１Ｈの構造について説明する。図３は、本実施形態に係るドラムユニット３１Ｈが下部筐体２１に装着された状態の断面図である。また、図４は、ドラムユニット３１Ｈの斜視図である。また、図５および図６は、ドラムユニット３１Ｈのユニットハウジング３１Ｋの単体の斜視図である。ドラムユニット３１Ｈは、内部空間Ｓを備える下部筐体２１に装着される。ドラムユニット３１Ｈは、内部空間Ｓに向かって、図４の矢印Ｄ４１の方向（挿入方向）に向かって挿入された後、下部筐体２１に固定される。本実施形態では、ドラムユニット３１Ｈの前記挿入方向は、後記の感光体ドラム１２１の回転軸１２１Ａの軸方向に沿う方向である。
【００５２】
前述のようにドラムユニット３１Ｈは、感光体ドラム１２１と、帯電器１２２と、クリーニング装置３５と、を備える（図３）。また、ドラムユニット３１Ｈは、前後方向の両端部に、ユニット前壁３１Ｆおよびユニット後壁３１Ｒを備える。ユニット前壁３１Ｆおよびユニット後壁３１Ｒは、ドラムユニット３１Ｈのうち前後方向に面する一対の壁部である。ユニット前壁３１Ｆは、ドラムユニット３１Ｈの挿入方向の上流側（後端側）に立設される。ユニット前壁３１Ｆおよびユニット後壁３１Ｒは、それぞれ前後方向に所定の間隔を持って配置される。ドラムユニット３１Ｈは、ユニット前壁３１Ｆおよびユニット後壁３１Ｒに配設される固定部（不図示）を備える。ドラムユニット３１Ｈが、画像形成装置１の下部筐体２１に装着された際に、前記固定部が、後記の画像形成装置１のフレーム２１０に固定される。この結果、画像形成装置１において、ドラムユニット３１Ｈの位置が固定される。前記固定部は、スクリューが締結される締結用穴などから構成される。
【００５３】
ドラムユニット３１Ｈは、ユニットハウジング３１Ｋ（図５、図６）（ハウジング）を備える。ユニットハウジング３１Ｋは、ドラムユニット３１Ｈの骨格部分である。ユニットハウジング３１Ｋは、樹脂材料からなり、本実施形態ではユニットハウジング３１Ｋは金型成型によって成形される。ユニットハウジング３１Ｋは、ハウジング前面部３１Ｋ１（側壁）と、ハウジング後面部３１Ｋ２（側壁）と、ハウジング連結部３１Ｋ３（連設壁）とを備える。ハウジング前面部３１Ｋ１およびハウジング後面部３１Ｋ２は、ドラムユニット３１Ｈにおいて、感光体ドラム１２１の回転軸１２１Ａの軸方向の両端部に立設される一対の側壁である。また、ハウジング連結部３１Ｋ３は、ハウジング前面部３１Ｋ１およびハウジング後面部３１Ｋ２を前記軸方向において連設させる。図３を参照して、ハウジング連結部３１Ｋ３は、主に、ドラムユニット３１Ｈの上方および左方部分において、ハウジング前面部３１Ｋ１およびハウジング後面部３１Ｋ２を連設させる。ユニットハウジング３１Ｋの周囲に不図示のカバー部材が装着されることによって、ドラムユニット３１Ｈの外観が形成される。また、ユニットハウジング３１Ｋによって、感光体ドラム１２１が回転可能に支持される。また、ユニットハウジング３１Ｋによって、帯電器１２２、クリーニング装置３５、除電器５０が、感光体ドラム１２１に対向して支持される。
【００５４】
図３を参照して、感光体ドラム１２１は、回転軸１２１Ａと、回転軸１２１Ａ回りに回転する円筒面１２１Ｂと、を備える。円筒面１２１Ｂには、静電潜像が形成されるとともに、該静電潜像に応じたトナー像が円筒面１２１Ｂに担持される。感光体ドラム１２１としては、アモルファスシリコン（ａ−Ｓｉ）系材料を用いた感光体ドラムを用いることができる。
【００５５】
帯電器１２２は、感光体ドラム１２１よりも、左側に配置される。帯電器１２２は、帯電ローラー１２２Ａと、クリーニングローラー１２２Ｂと、帯電ハウジング１２２Ｈとを備える。帯電ハウジング１２２Ｈは、感光体ドラム１２１の回転軸１２１Ａと直交する断面視において、略コの字型の形状を有する。帯電ハウジング１２２Ｈの中に、帯電ローラー１２２Ａおよびクリーニングローラー１２２Ｂが、それぞれ回転可能に支持される。
【００５６】
帯電ローラー１２２Ａは、表面がゴム材料から構成されるロール部材である。帯電ローラー１２２Ａには、不図示のバイアス印加手段から、帯電電圧が印加される。帯電ローラー１２２Ａは、感光体ドラム１２１の円筒面１２１Ｂに当接することで、感光体ドラム１２１に従動しながら回転される。帯電電圧が印加された帯電ローラー１２２Ａによって、感光体ドラム１２１の円筒面１２１Ｂが一様に帯電される。
【００５７】
クリーニングローラー１２２Ｂは、帯電ローラー１２２Ａに当接し、帯電ローラー１２２Ａと線速差をもって回転する。クリーニングローラー１２２Ｂは導電性ナイロンの繊維で形成されたブラシローラーである。帯電ローラー１２２Ａが、感光体ドラム１２１の円筒面１２１Ｂに当接することによって、帯電ローラー１２２Ａの表面にトナーや異物などが付着する。クリーニングローラー１２２Ｂが、帯電ローラー１２２Ａに接触しながら、線速差をもって回転されることによって、帯電ローラー１２２Ａの表面に付着したトナー、異物などが、好適に除去される。
【００５８】
クリーニング装置３５は、感光体ドラム１２１の上方に配置される。クリーニング装置３５は、クリーナーハウジング３５Ｈと、クリーニングブレード３５１と、搬送スクリュー３５２と、研磨ローラー３５３と、を備える。
【００５９】
クリーナーハウジング３５Ｈは、クリーニング装置３５内の各部材を支持する筐体である。クリーニング装置３５は、感光体ドラム１２１および帯電器１２２の一部を上方で覆うように配置される。特に、クリーナーハウジング３５Ｈの左方部分は、帯電ローラー３２１の上方に配置される。また、感光体ドラム１２１の回転軸１２１Ａと直交する断面視において、クリーナーハウジング３５Ｈの左右方向の中央部は、上方に向かって円弧状に突出した形状を備える。クリーナーハウジング３５Ｈは、ユニットハウジング３１Ｋのハウジング連結部３１Ｋ３の一部を構成する。
【００６０】
クリーニングブレード３５１は、クリーナーハウジング３５Ｈの底部に沿って、水平方向に配置される。また、クリーニングブレード３５１は、感光体ドラム１２１の回転軸１２１Ａの軸方向に延設される。クリーニングブレード３５１は、ゴム材料から構成される板状の弾性部材である。クリーニングブレード３５１は、感光体ドラム１２１の円筒面１２１Ｂに当接し、感光体ドラム１２１を清掃する。クリーニングブレード３５１は、ブレードホルダ３５１Ｈによって支持される。ブレードホルダ３５１Ｈは、前記断面視において、Ｌ字型形状を備えた板金部材である。ブレードホルダ３５１Ｈは、ブレード締結部３５１Ｂによって、クリーナーハウジング３５Ｈ（ハウジング連結部３１Ｋ３）に固定される。この際、ブレードホルダ３５１Ｈは、ハウジング連結部３１Ｋ３のうち部分的に下方に窪んだハウジング凹部３１Ｋ４に締結される。また、クリーニングブレード３５１とブレードホルダ３５１Ｈは、接着剤によって固定される。この結果、クリーニングブレード３５１の固定端が形成される。一方、クリーニングブレード３５１の先端は自由端とされ、感光体ドラム１２１の円筒面１２１Ｂに当接される。クリーニングブレード３５１の前記先端は、後記の研磨ローラー３５３よりも、感光体ドラム３１の回転方向（矢印ＤＰ方向）下流側の円筒面１２１Ｂに当接する。この結果、クリーニングブレード３５１の前記先端によって、感光体ドラム１２１の円筒面１２１Ｂ上に残留（付着）したトナーが除去される。
【００６１】
搬送スクリュー３５２は、クリーニングブレード３５１の上方において、クリーナーハウジング３５Ｈに回転可能に支持される。搬送スクリュー３５２は、軸部と、該軸部周りに配設されたスパイラル状の羽根部材と、を備える。搬送スクリュー３５２は、クリーニングブレード３５１によって掻き取られ、クリーニングブレード３５１上に堆積した回収トナーを感光体ドラム１２１の回転軸１２１Ａの軸方向に搬送する。
【００６２】
研磨ローラー３５３は、搬送スクリュー３５２の右方に配設される。研磨ローラー３５３は、感光体ドラム１２１の回転軸１２１Ａよりも上方の円筒面１２１Ｂに当接する回転面を備える。研磨ローラー３５３は、周面が粗面化処理されたゴムローラーであり、本実施形態では、直径１２ｍｍのシャフトに、肉厚１．７５ｍｍのＥＰＤＭゴム（エチレンプロピレンゴム）が配置されたものが使用される。研磨ローラー３５３は、感光体ドラム１２１の円筒面１２１Ｂに当接しながら、感光体ドラム１２１に従動して回転される。研磨ローラー３５３は、感光体ドラム１２１の円筒面１２１Ｂに付着したトナーを回収する。また、研磨ローラー３５３は、感光体ドラム１２１の円筒面１２１Ｂに付着した放電生成物などの付着物を、研磨する。この際、研磨ローラー３５３の回転面に、所定量のトナーが付着することによって、前記放電生成物の除去性能（研磨性能）が向上される。
【００６３】
更に、ドラムユニット３１Ｈは、右挿入片３１０および左挿入片３１１を備える。右挿入片３１０および左挿入片３１１は、ドラムユニット３１Ｈの上方部分において、ユニット前壁３１Ｆからユニット後壁３１Ｒまで延設される板状部材である。また、右挿入片３１０および左挿入片３１１は、ハウジング連結部３１Ｋ３の一部を構成する。右挿入片３１０および左挿入片３１１は、左右方向に間隔をおいて配置される。図３を参照して、感光体ドラム１２１の回転軸１２１Ａと交差する断面視において、右挿入片３１０は、右方向に向かって突設される。また、左挿入片３１１は、左方向に向かって突設される。右挿入片３１０および左挿入片３１１は、ドラムユニット３１Ｈが下部筐体２１に装着される際に、ドラムユニット３１Ｈを誘導する機能を備える。
【００６４】
更に、ドラムユニット３１Ｈは、立壁７０（被当接部）を備える。立壁７０は、ドラムユニット３１Ｈのユニットハウジング３１Ｋから立設される壁部である。詳しくは、立壁７０は、ハウジング連結部３１Ｋ３のうち回転軸１２１Ａの軸方向の中央部に配置される。立壁７０は、前後方向に所定の幅をもって、ハウジング連結部３１Ｋ３から上方に向かって突設される。立壁７０は、孔部７０Ｈ（位置決め穴）を備える。孔部７０Ｈは、立壁７０を前後方向に貫通して形成される開口穴である。孔部７０Ｈによって、立壁７０には不図示の内周面が形成される。孔部７０Ｈには、後記の矯正ピン８０Ｐが挿通される。換言すれば、矯正ピン８０Ｐは、立壁７０に当接する。詳しくは、前記矯正ピン８０Ｐの外周面が、立壁７０の前記内周面に当接する。
【００６５】
次に、図３乃至図６に加え、図７および図８を参照して、下部筐体２１の内部空間Ｓにドラムユニット３１Ｈが装着される態様を詳述する。図７は、下部筐体２１において、ドラムユニット３１Ｈが挿入される挿入空間ＩＳを示した斜視図である。図７は、下部筐体２１を構成するフレーム２１０を示す図である。また、図８は、下部筐体２１にドラムユニット３１Ｈが装着された状態の斜視図である。
【００６６】
図７を参照して、下部筐体２１は、フレーム２１０を備える。フレーム２１０は、下部筐体２１の骨格部分である。フレーム２１０は、金属フレームから構成される。フレーム２１０は、前フレーム２１１と、後フレーム２１２と、連結フレーム２１３と、を備える。前フレーム２１１は、フレーム２１０の前方部分を画定するフレーム部分である。前フレーム２１１は、図１の左カバー２１Ａ、右カバー２１Ｂの内側に配置される。後フレーム２１２は、フレーム２１０の後方部分を画定するフレーム部分である。後フレーム２１２は、下部筐体２１の後方部分に配置される。連結フレーム２１３は、フレーム２１０の右方かつ上方部分において、前フレーム２１１と後フレーム２１２とを前後方向に連設させるフレーム部分である。前フレーム２１１のうち連結フレーム２１３の下方に位置する領域には、図７に示すように開口部が形成されている。該開口部によって、内部空間Ｓに連通されるとともに、ドラムユニット３１Ｈが挿通される挿入空間ＩＳが形成される。
【００６７】
図３を参照して、連結フレーム２１３は、右レール部２１４および左レール部２１５を備える。右レール部２１４および左レール部２１５は、連結フレーム２１３の左右方向の端部において、前後方向に延設される。右レール部２１４の上方には、ドラムユニット３１Ｈの右挿入片３１０が係合される。また、左レール部２１５の上方には、ドラムユニット３１Ｈの左挿入片３１１が係合される。右レール部２１４および左レール部２１５は、ドラムユニット３１Ｈの前記挿入空間ＩＳへの挿入をガイドする。
【００６８】
更に、図７を参照して、連結フレーム２１３は、支持板８０および矯正ピン８０Ｐ（当接部）を備える。支持板８０は、内部空間Ｓのうち感光体ドラム１２１の回転軸１２１Ａの軸方向の中央部において、ドラムユニット３１Ｈに対向して配置される。支持板８０は、連結フレーム２１３から下方に向かって突設される板状部材である。支持板８０は、前後方向に面して配置される。矯正ピン８０Ｐは、支持板８０から前記軸方向（前方向）に向かって延設されるピン状の部材である。矯正ピン８０Ｐは、円柱形状からなり、外周面を備える。本実施形態では、支持板８０および矯正ピン８０Ｐは金属材料からなる。矯正ピン８０Ｐは、ドラムユニット３１Ｈの立壁７０に当接する機能を備える。詳しくは、矯正ピン８０Ｐは、立壁７０の孔部７０Ｈによって形成された前記内周面に当接する。
【００６９】
前述のように、ドラムユニット３１Ｈの右挿入片３１０および左挿入片３１１が、下部筐体２１の右レール部２１４および左レール部２１５に係合されながら、ドラムユニット３１Ｈが下部筐体２１の内部空間Ｓの挿入空間ＩＳに挿入される（図７の矢印Ｄ７１）。そして、ドラムユニット３１Ｈのユニット後壁３１Ｒが、フレーム２１０の後フレーム２１２に近接した段階で、矯正ピン８０Ｐが、立壁７０の孔部７０Ｈに挿入される。やがて、ドラムユニット３１Ｈが完全に挿入空間ＩＳに挿入され、ドラムユニット３１Ｈが下部筐体２１に固定されると、矯正ピン８０Ｐの前記外周面が、立壁７０の前記内周面に当接する。詳しくは、矯正ピン８０Ｐによって、立壁７０が回転軸１２１Ａに垂直な方向に固定される。前述のように、立壁７０は、ハウジング連結部３１Ｋ３から上方に向かって突設されている。そして、ハウジング連結部３１Ｋ３のうち、ハウジング凹部３１Ｋ４には、クリーニングブレード３５１を支持するブレードホルダ３５１Ｈが固定されている。このため、矯正ピン８０Ｐが立壁７０を回転軸１２１Ａに垂直な方向に固定することによって、ブレードホルダ３５１Ｈの軸方向（前後方向）の中央部が回転軸１２１Ａに垂直な方向に固定される。
【００７０】
前述のようにユニットハウジング３１Ｋは樹脂材料から構成される。このため、金型成形後の樹脂の収縮などによって、ユニットハウジング３１Ｋのハウジング前面部３１Ｋ１およびハウジング後面部３１Ｋ２が、図５の矢印Ｄ５１、Ｄ５２に示すように、内側に湾曲し、ハウジング連結部３１Ｋ３の軸方向の中央部が上方に変形するように、ユニットハウジング３１Ｋが反る場合がある。この場合、ユニットハウジング３１Ｋの内部に支持されるクリーニングブレード３５１のうち軸方向の中央部が上方に移動され、感光体ドラム１２１の円筒面１２１Ｂに対するクリーニングブレード３５１の押圧力が低下してしまう。この結果、クリーニングブレード３５１の前記中央部において、クリーニング不良などの不具合が生じることがある。
【００７１】
このような場合であっても、本実施形態によれば、上記のように矯正ピン８０Ｐによって、立壁７０が下方に押圧され、クリーニングブレード３５１を支持するブレードホルダ３５１Ｈの軸方向の中央部が、下方に移動される。この結果、クリーニングブレード３５１の感光体ドラム１２１に対する押圧力が安定して維持される。
【００７２】
このように、本実施形態によれば、ドラムユニット３１Ｈが内部空間Ｓに挿入され、矯正ピン８０Ｐが立壁７０に当接することによって、前記軸方向と交差する断面におけるドラムユニット３１Ｈのユニットハウジング３１Ｋの軸方向の中央部の位置が調整される。詳しくは、クリーニングブレード３５１の軸方向の中央部における感光体ドラム１２１に対する押圧力が、クリーニングブレード３５１の軸方向の両端部における押圧力に近づくように、ユニットハウジング３１Ｋの前記中央部の位置が、矯正ピン８０Ｐによって調整される。特に、金属材料から構成される矯正ピン８０Ｐの剛性によって、ドラムユニット３１Ｈの中央部の位置調整が確実に実現される。
【００７３】
次に、本発明の第２の実施形態について説明する。図９は、本実施形態に係るドラムユニット３１ＨＡが、フレーム２１０Ａに装着された状態の模式的な側面図である。なお、本実施形態では、先の第１の実施形態と比較して、当接部および被当接部の構成において相違するため、該相違点のみを説明し、その他の説明を省略する。
【００７４】
本実施形態においても、フレーム２１０Ａは、前後方向に立設される一対の前フレーム２１１Ａおよび後フレーム２１２Ａを備える。また、連結フレーム２１３Ａによって、前フレーム２１１Ａおよび後フレーム２１２Ａが前後方向に連設される。ドラムユニット３１ＨＡは、連結フレーム２１３Ａに沿って、図９の矢印Ｄ９１方向に挿入され、フレーム２１０Ａに装着される。本実施形態では、先の第１の実施形態の矯正ピン８０Ｐに対応して、当接壁部８１（当接部）が配置される。当接壁部８１は、連結フレーム２１３Ａの軸方向の中央部から下方に向かって突設される壁部である。本実施形態では、当接壁部８１は、連結フレーム２１３Ａから下方に向かって突設された後、前方に向かって屈曲されている。ドラムユニット３１ＨＡがフレーム２１０Ａに装着されると、当接壁部８１の下端部が、ドラムユニット３１ＨＡの被当接外壁部７１（被当接部、外壁）に当接する。被当接外壁部７１は、ドラムユニット３１ＨＡの軸方向（前後方向）の中央部における上側の外壁である。本実施形態においても、ドラムユニット３１ＨＡの中央部が上方に沿った場合、当接壁部８１が被当接外壁部７１を下方に向かって押圧することによって、ドラムユニット３１ＨＡの内部に配置される不図示のクリーニングブレードの中央部が、感光体ドラムに向かって押圧される。この結果、前記クリーニングブレードの押圧力が、軸方向に沿って均一に維持される。また、ドラムユニット３１ＨＡの外壁を利用して、ドラムユニット３１ＨＡの軸方向の中央部の位置調整を行うことができる。
【００７５】
次に、本発明の第３の実施形態について説明する。図１０は、本実施形態に係るドラムユニット３１ＨＢが、フレーム２１０Ｂに装着された状態の模式的な側面図である。また、図１１は、ドラムユニット３１ＨＢの模式的な斜視図である。更に、図１２は、本実施形態における当接部および被当接部の拡大図である。なお、本実施形態も、先の第１の実施形態と比較して、当接部および被当接部の構成において相違するため、該相違点を中心説明し、その他の説明を省略する。
【００７６】
本実施形態においても、フレーム２１０Ｂは、前後方向に立設される一対の前フレーム２１１Ｂおよび後フレーム２１２Ｂを備える。また、連結フレーム２１３Ｂによって、前フレーム２１１Ｂおよび後フレーム２１２Ｂが前後方向に連設される。ドラムユニット３１ＨＢは、前後方向に沿って、それぞれ左右方向に突設される右挿入片３１０Ａおよび左挿入片３１１Ａを備える（図１１）。右挿入片３１０Ａおよび左挿入片３１１Ａが、連結フレーム２１３Ｂ上の右レール部２１４Ａおよび左レール部２１５Ａに係合し、ドラムユニット３１ＨＢが、図１０の矢印Ｄ１０１方向に向かって、フレーム２１０Ｂに装着される。
【００７７】
更に、右レール部２１４Ａおよび左レール部２１５Ａは、それぞれ上ガイド２１６および下ガイド２１７を備える。上ガイド２１６および下ガイド２１７は、内部空間Ｓに軸方向（前後方向）に沿って延設される部材である。上ガイド２１６および下ガイド２１７の間には、前記軸方向と交差する方向（上下方向）に所定の溝幅を備えるガイド溝Ｇが形成される。
【００７８】
一方、ドラムユニット３１ＨＢの右挿入片３１０Ａと左挿入片３１１Ａは、ドラムユニット３１ＨＢの左右の側面から突設されるリブ部材である。右挿入片３１０Ａおよび左挿入片３１１Ａは、前記軸方向に沿って延設され、上ガイド２１６および下ガイド２１７によって形成される前記ガイド溝Ｇに挿通される。
【００７９】
図１２を参照して、上ガイド２１６および下ガイド２１７の前記軸方向の中央部には、上規制部２１６Ａおよび下規制部２１７Ａが配置される。上規制部２１６Ａは、上ガイド２１６の軸方向の中央部において、下方に向かって突設される曲面である。また、下規制部２１７Ａは、下ガイド２１７の軸方向の中央部において、上方に向かって突設される曲面である。換言すれば、上規制部２１６Ａおよび下規制部２１７Ａによって、前記ガイド溝Ｇのうち前記軸方向の中央部における溝幅が他の領域と比較して部分的に狭く設定される縮小部Ｘが形成される。本実施形態では、該縮小部Ｘが当接部として機能する。一方、ドラムユニット３１ＨＢがフレーム２１０に装着された状態において、右挿入片３１０Ａと左挿入片３１１Ａの前記軸方向の中央部であって、縮小部Ｘに対向する位置には、リブ部材の上面および下面からそれぞれ突出する曲面を備えた突出部３１２が配置される。
【００８０】
すなわち、ドラムユニット３１ＨＢは、連結フレーム２１３Ｂに沿って、図１０の矢印Ｄ１０１、図１２の矢印Ｄ１２１方向に挿入され、フレーム２１０Ｂに装着される。この際、ドラムユニット３１ＨＢの右挿入片３１０Ａおよび左挿入片３１１Ａの突出部３１２に、縮小部Ｘが当接する。なお、ドラムユニット３１ＨＢの内部に配置される不図示のクリーニングブレードの中央部が、感光体ドラムに向かって押圧されるように、突出部３１２と上規制部２１６Ａおよび下規制部２１７Ａとの位置が予め設定される。この結果、前記クリーニングブレードの押圧力が、軸方向に沿って均一に維持される。ドラムユニット３１ＨＢの右挿入片３１０Ａおよび左挿入片３１１Ａが、フレーム２１０Ｂの前記ガイド溝Ｇに挿通されることによって、ドラムユニット３１ＨＢの内部空間Ｓへの挿入動作が好適にガイドされる。また、右挿入片３１０Ａおよび左挿入片３１１Ａの突出部３１２が縮小部Ｘに当接されることによって、前記挿入動作に連動して、ドラムユニット３１ＨＢの中央部の位置が調整される。
【００８１】
なお、他の実施形態において、上規制部２１６Ａのみが配置され、下規制部２１７Ａが配置されない構成に設定されてもよい。また、挿入片３１０Ａおよび左挿入片３１１Ａに突出部３１２が配置されない構成であってもよい。ドラムユニット３１ＨＢの軸方向の中央部が上方に反った場合に、上規制部２１６Ａが挿入片３１０Ａおよび左挿入片３１１Ａの上面に当接して下方に押圧する。この結果、ドラムユニット３１ＨＢの軸方向の中央部の位置を調整することができる。
【００８２】
以上、上記の実施形態によれば、ドラムユニット３１Ｈはクリーニングブレード３５１を支持し、下部筐体２１の内部空間Ｓに挿入された後、下部筐体２１に固定される。クリーニングブレード３５１は感光体ドラム１２１の軸方向に沿って延設され、感光体ドラム１２１の円筒面１２１Ｂに当接する。前記軸方向においてドラムユニット３１Ｈに反りがあると、クリーニングブレード３５１などドラムユニット３１Ｈ内に支持される部材も前記反りの影響を受けて変形されやすい。このような場合であっても、上記の構成によれば、ドラムユニット３１Ｈが内部空間Ｓに挿入され、矯正ピン８０Ｐなどの当接部が、立壁７０などの被当接部に当接することによって、軸方向と交差する断面におけるドラムユニット３１Ｈの軸方向の中央部の位置が調整される。この結果、ドラムユニット３１Ｈの反りが好適に矯正され、クリーニングブレード３５１がドラムユニット３１Ｈに安定して支持される。このため、感光体ドラム１２１に対するクリーニングブレード３５１の押圧力が安定して維持される。また、下部筐体２１に配置された当接部がドラムユニット３１Ｈの被当接部に当接するため、ドラムユニット３１Ｈの内部に矯正手段が配置される場合と比較して、長期間の使用においても矯正力が弱まることが抑止される。また、当接部が被当接部に当接することによって、クリーニングブレード３５１の軸方向の中央部における押圧力が、クリーニングブレード３５１の軸方向の両端部における押圧力に近づくことができる。このため、クリーニングブレード３５１の軸方向における押圧力の均一性が好適に向上される。
【００８３】
以上、本発明の実施形態に係る画像形成装置について説明したが、本発明はこれに限定されるものではなく、例えば次のような変形実施形態を取ることができる。
【００８４】
（１）上記の実施形態では、ドラムユニット３１Ｈが、感光体ドラム１２１とクリーニングブレード３５１とを一体的に支持する態様にて説明したが、本発明はこれに限定されるものではい。クリーニングブレード３５１はクリーナーハウジング３５Ｈに支持された状態で、感光体ドラム１２１とは別に、下部筐体２１に装着される態様であってもよい。
【００８５】
（２）上記の実施形態では、ドラムユニット３１Ｈが、感光体ドラム１２１の回転軸１２１Ａの軸方向に沿って、下部筐体２１に装着される態様にて説明したが、本発明はこれに限定されるものではない。特に、上記の第２の実施形態においては、ドラムユニット３１Ｈは、左右方向（回転軸１２１Ａと交差する方向）において、下部筐体２１に装着されても良い。
【００８６】
（３）また、上記の第１の実施形態では、立壁７０の孔部７０Ｈに、矯正ピン８０Ｐが挿通される態様にて説明した。孔部７０Ｈの入口には、不図示のテーパ部が形成されても良い。前記テーパ部によって、矯正ピン８０Ｐの孔部７０Ｈへの挿入が好適にガイドされる。このため、ユニットハウジング３１Ｋに反りが生じている場合であっても、矯正ピン８０Ｐが孔部７０Ｈに安定して挿入される。
【符号の説明】
【００８７】
１  画像形成装置
１２０  画像形成部
１２１  感光体ドラム
１２１Ａ  回転軸
１２１Ｂ  円筒面
１２２  帯電器
１２２Ｈ  帯電ハウジング
１２２Ａ  帯電ローラー
１２２Ｂ  クリーニングローラー
２１０  フレーム
２１１、２１１Ａ、２１１Ｂ  前フレーム
２１２、２１２Ａ、２１２Ｂ        後フレーム
２１３、２１３Ａ、２１３Ｂ  連結フレーム
２１４、２１４Ａ  右レール部
２１５、２１５Ａ  左レール部
２１６  上ガイド
２１６Ａ  上規制部
２１７  下ガイド
２１７Ａ  下規制部
２１  下部筐体（装置本体）
２１Ａ  左カバー
２１Ｂ  右カバー
２２  上部筐体
２３  連結筐体
２４  排出空間
２４１  排紙部
２４２  排紙トレイ
３１Ｈ、３１ＨＡ、３１ＨＢ  ドラムユニット
３１Ｋ  ユニットハウジング（ハウジング）
３１Ｋ１  ハウジング前面部（側壁）
３１Ｋ２  ハウジング後面部（側壁）
３１Ｋ３  ハウジング連結部（連設壁）
３１Ｋ４  ハウジング凹部
３１Ｆ  ユニット前壁
３１Ｒ  ユニット後壁
３１０、３１０Ａ  右挿入片
３１１、３１１Ａ  左挿入片
３５  クリーニング装置
３５１  クリーニングブレード
３５１Ｂ  ブレード締結部
３５１Ｈ  ブレードホルダ
３５２  回収ローラー
３５３  研磨ローラー
３５Ｈ  クリーナーハウジング
５０  除電器
７０  立壁（被当接部）
７０Ｈ  孔部（位置決め穴）
７１  被当接壁部（被当接部、外壁）
８０  支持板
８０Ｐ  矯正ピン（当接部）
８１  当接壁部（当接部）
Ｇ  ガイド溝
Ｘ  縮小部
【図２】
2014149358.tif 000003
【図４】
2014149358.tif 000004
【図５】
2014149358.tif 000005
【図６】
2014149358.tif 000006
【図７】
2014149358.tif 000007
【図８】
2014149358.tif 000008
【図９】
2014149358.tif 000009
【図１０】
2014149358.tif 000010
【図１１】
2014149358.tif 000011
【図１２】
2014149358.tif 000012
【図１】
2014149358.tif 000013
【図３】
2014149358.tif 000014